(57)【要約】【課題】  本発明は、安価で作業工程の少ない引出し引き扉を備えた冷蔵庫を提供することを目的とする。【解決手段】  前面に開口部を有する貯蔵室６と、この貯蔵室６の左右両側壁に前後方向に延びるように設けたレール１６と、前後方向の移動により貯蔵室６の前面開口部を開閉する扉６ａと、この扉６ａの背面に設けられ、左右両側に前記レール１６に沿って延びるアーム３１と、このアーム３１に支持された状態で扉６ａの開閉に伴い貯蔵室６に対して出し入れされる貯蔵容器２０と、アーム３１の左右両側の後部に、それぞれレール１６に沿って摺動または回転する案内部材３５と、貯蔵室６の底部１４前方の左右両側に設けられ、それぞれのアーム３１を摺動自在に支持し、その摺動面が円弧状のリブ４０とを備えた構成。【選択図】  図１
2005069597.tif 000002
【特許請求の範囲】
【請求項１】
前面に開口部を有する貯蔵室と、この貯蔵室の左右両側壁に前後方向に延びるように設けたレールと、前後方向の移動により前記貯蔵室の前面開口部を開閉する扉と、この扉の背面に設けられ、左右両側に前記レールに沿って延びるアームと、このアームに支持された状態で前記扉の開閉に伴い前記貯蔵室に対して出し入れされる貯蔵容器と、前記アームの左右両側の後部に、それぞれ前記レールに沿って摺動または回転する案内部材と、前記貯蔵室の底部前方の左右両側に設けられ、それぞれのアームを摺動自在に支持し、その摺動面が円弧状のリブとを備えたことを特徴とする冷蔵庫。
【請求項２】
リブを薄肉に形成し、２以上並設させた特徴とする請求項１に記載の冷蔵庫。
【請求項３】
高さ寸法において、内側のリブを外側のリブよりも低くしたことを特徴とする請求項２に記載の冷蔵庫。
【発明の詳細な説明】
【技術分野】
【０００１】
本発明は、扉の開閉に伴いアームに支持された収納容器が出し入れされる引き出し扉を備えた冷蔵庫に関する。
【背景技術】
【０００２】
近年、食生活の多様化に伴い様々な食品を良好に貯蔵できるように、家庭用冷蔵庫には、冷蔵室や冷凍室の他に、野菜室や温度切替室または製氷室などを備えており、貯蔵した食品を取り出し易いように、上部の冷蔵室には回転式扉を、下部の野菜室、温度切替室、製氷室、または冷凍室には扉の開閉動作に応じて貯蔵容器が出し入れされる引出し式扉を採用しているものがある。
【０００３】
この引出し式扉を備えた冷蔵庫の一例を図６に示す。１００は、食品を収納する貯蔵容器であり、側面と底部の一部を左右両側に設けられたアーム１０１によって支持されている。アーム１０１は、Ｌ字状に形成されており、図示しない扉の背面に固定されている。
【０００４】
アーム１０１の後部には、回転自在にローラー１０２を取付けており、庫内の両側壁に設けられたレール１０３内を回転しながら摺動するようになっている。
【０００５】
アーム１０１の下面１０１ａは、底面ローラー１０４によって支持されている。この底面ローラー１０４は、貯蔵室底面１１０前方の左右両側に設けられており、円状の回転体１０４ａの軸部にピン１０４を回転自在に挿通し、このピン１０４の両端を貯蔵室底面１１０に設けられた固定部１０６に固定して形成されている。
【０００６】
このような引出し式扉の貯蔵室では、扉の開閉動作に応じて、アーム１０１の後部ではローラー１０２がレール１０３内を摺動し、前部では底面ローラー１０４が回転して、アーム１０１が支持されながら滑らかに前後方向に移動することにより、貯蔵容器１００が出し入れされるようになっている（例えば、特許文献１）。
【特許文献１】特開平１０−２０６００３号公報
【発明の開示】
【発明が解決しようとする課題】
【０００７】
しかしながら、上記構成においては、底面ローラー１０４が貯蔵室の底面や断熱仕切壁と別体であるためコスト高であるとともに、底面ローラ１０４を取付ける際には、回転体１０４ａにピン１０５を挿通させた後に、固定部１０６に取付けなければならないため、作業工程が煩雑になっていた。
【０００８】
本発明はこの点に着目してなされたもので、安価で作業工程の少ない引出し引き扉を備えた冷蔵庫を提供することにある。
【課題を解決するための手段】
【０００９】
上記課題を解決するために、本発明による冷蔵庫は、前面に開口部を有する貯蔵室と、この貯蔵室の左右両側壁に前後方向に延びるように設けたレールと、前後方向の移動により前記貯蔵室の前面開口部を開閉する扉と、この扉の背面に設けられ、左右両側に前記レールに沿って延びるアームと、このアームに支持された状態で前記扉の開閉に伴い前記貯蔵室に対して出し入れされる貯蔵容器と、前記アームの左右両側の後部に、それぞれ前記レールに沿って摺動または回転する案内部材と、前記貯蔵室の底部前方の左右両側に設けられ、それぞれのアームを摺動自在に支持し、その摺動面が円弧状のリブとを備えたことを特徴とする。
【発明の効果】
【００１０】
上記発明によれば、底面ローラーの代わりにアームとの摺動面が円弧状のリブを形成したので、回転体やピンなどを取付ける作業が不要となるとともに、貯蔵室の底面や断熱仕切壁と一体成形できるため、安価に製造することができる。
【発明を実施するための最良の形態】
【００１１】
以下、図面に基づき本発明の１実施例について説明する。本発明に係る冷蔵庫の正面図である図４に示すように、断熱箱体で形成された冷蔵庫本体１は、その内部を冷蔵空間として最上部に冷蔵室２、その下方に野菜室３、さらに下方には、冷凍空間として製氷室５、切替室６、冷凍室４を独立して配置し、各貯蔵室の前面開口には各々専用扉を開閉自在に設けている。冷蔵室扉２ａは右側部を回転自在に枢支された回転式扉であり、他の扉３ａ，４ａ，５ａ，６ａは引出し式扉である。
【００１２】
切替室６の縦断面図である図５に示すように、切替室６は、上方の野菜室３と下方の冷凍室４とそれぞれ断熱仕切壁１３，１４により区画しており、製氷室５とは、扉６ａを取外したときの切替室６を表した斜視図である図１に示すように、縦仕切壁１５により区画している。また、切替室６の左側面は、内箱１０と外箱１２との間に断熱材１１を充填させた冷蔵庫本体１の側壁で形成されている。なお、断熱仕切壁１３，１４は、それぞれ切替室６の天井面と底面を形成し、縦仕切壁１５は右側面を形成している。
【００１３】
この切替室６には、食品を収納する貯蔵容器２０を備えており、左右一対のアーム３１ａ，３１ｂに、その下部の両側面と底面が支持され、着脱自在に固定している。
【００１４】
このアーム３１ａ，３１ｂは、鉄板などの剛板をＬ字状に成形し前後方向に延在させたものであり、扉６ａの背面下部の隅部に、左右それぞれ取付け固定している。アーム３１ａ，３１ｂの背部には、補強板３３を取付けており、貯蔵容器２０の後部を支持するとともに、アーム３１の湾曲を防止している。
【００１５】
また、アーム３１のそれぞれの後部側面には、外側に向けて案内部材３５を取付けている。本実施例においては、この案内部材３５を回転自在のローラーとして説明するが、回転しなくても、摺動性に優れた円弧状の突起などでもよい。
【００１６】
切替室６の左右両側面には、扉６ａを閉扉した状態で前記アーム３１に沿って前後方向に延在し、断面形状がコ字状のレール１６ａ，１６ｂを取付け固定している。このレール１６には、上記案内部材３５が挿入され、扉６ａの開閉動作に応じて回転自在に摺動するようになっている。
【００１７】
図２は、アーム３１が各構成部に支持されている係合関係を示す詳細断面図であるが、この図２及び図１，図５に示すように、切替室６の底面１４前部には、左右一対のリブ４０を設け、アーム３１の前部を支持している。
【００１８】
このリブ４０は、凹状に形成された合成樹脂の固定具４３と一体に成形されたもので、固定具４３の底部から上方に立設し、縦断面の上部、すなわちアーム３１の底面３２との摺動面は円弧形状で、横断面は例えば１〜２ｍｍ程度の薄肉の棒形状となっている。また、この固定具４３は、底面１４と、それぞれ一体成形させており、安価に製造することができ、固定具４３を取付ける作業工程を削減することができるようになっている。
【００１９】
なお、断熱仕切壁１４が形成されていなくとも、前面開口部を区画する仕切体１４ａに固定具４３を固定または、リブ３１を一体に成形してもよく、また、底面１４に開口部を形成して、この開口部に固定具４３を嵌合させることにより、リブ４０を底面１４に固定してもよい。
【００２０】
リブ４０は、複数個にわたって並設されている。本実施例では、外側リブ４１と内側リブ４２を並設している。内側リブ４２は、外側リブ４１よりも、高さ寸法において、例えば１〜２ｍｍ程度低くしている。
【００２１】
次に、扉６ａの開閉動作について説明する。  
閉扉状態においては、上述したように貯蔵容器２０は、アーム３１に支持されているが、このアーム３１の後部は、案内部材３５を介してレール１６によって支持され、前部はリブ４０によって支持されている。
【００２２】
この状態から開扉すると、アーム３１は扉６ａに固定されているため、扉６ａの引出し動作に応じてアーム３１が前方に引き出され、貯蔵容器２０の後部は、補強板３３によって支持されているため、貯蔵容器２０も庫外に引き出される。
【００２３】
この場合、前部においては、常にリブ４０がアーム３１の裏面３２と摺動しながら支持しているが、後部においては、開扉直後は案内部材３５がレール１６の底面と摺動し、前方に引き出されていくと、前側に重みがかかりリブ４０を支点として下方に傾くため、レール１６の天井面と摺動していくことになる。
【００２４】
こうして、最も前方に開扉された状態では、アーム３１にかかる下方への負荷をリブ４０が支持し、前方への傾きを案内部材３５を介してレール１６の天井面が支持することにより静止するようになっている。なお、図５に示すように、アーム３１の底面３２後部には、リブ４０と係合するストッパー３４を設けており、扉６ａが最も引き出される所定の位置で静止するようになっている。
【００２５】
上述したように、本発明の構成によれば、従来の底面ローラーの代わりに摺動面が円弧状のリブ４０を形成したので、ピンなどを回転体に挿通させたり、ピンを固定具に取り付ける作業を削減することができ、もって作業効率を向上させることができるとともに、部品数を削減させることができるため、安価に製造することができる。
【００２６】
また、回転自在の底面ローラーに比べ、回転しないリブ４０では摺動性が劣るが、その幅寸法を薄肉とすることにより、従来の構成と同等の摺動性を保持することができるとともに、リブ４０を複数個並設することにより、貯蔵容器２０に過大な負荷がかかっても、それぞれのリブ４１，４２に負荷を分散させることができ、強度などの耐久性においても従来の構成と同等とすることができる。
【００２７】
さらに、内側のリブ４２を、外側のリブ４１よりも低くしたことで、さらに摺動性を向上させることができる。これは、図２に示すように、負荷が軽い場合には、アーム３１は外側リブ４１のみで支持されているため、摺動性が向上する。一方、外側リブ４１のみでは、複数個にわたってリブ４０を形成したものと比べると強度が弱く、貯蔵容器２０の負荷によっては破損などの恐れが生じる。
【００２８】
しかし、一般的に、貯蔵容器２０に過大な負荷がかかると、図３に示すように、底面の中央部が下方に湾曲して、アーム３１の裏面３２の内側が下方に湾曲する。一方、アーム３１が剛板で湾曲しない場合であっても、レール１６と案内部材３５との間には、ばらつきが生じても摺動するように、例えば１〜１０ｍｍ程度のクリアランスを設けており、同様に貯蔵容器２０に過大な負荷がかかると、アーム３１の内側が下方に押圧されるため、案内部材３５がこのクリアランスの範囲内で右側に傾き、アーム３１自体が内側に傾くことになる。すると、内側に傾いたアーム３１の底面３２は、内側リブ４２にも当接することになり、過大な負荷がかかった場合には、両リブ４１，４２によって支持されるようになる。
【００２９】
したがって、軽負荷の場合には、外側リブ４１のみで摺動することにより、摺動性が向上し、過大な負荷がかかった場合には、複数個のリブ４１，４２でアーム３１を支持することができるため、強度などの耐久性も充分に確保することができる。もちろん、リブ４０の個数や高さは、想定される貯蔵重量に応じて適宜変更することが好ましい。
【００３０】
なお、本実施例では、切替室６の構成について説明したが、他の野菜室３、製氷室５または冷凍室４の引出し式扉の貯蔵室においても適宜可能である。
【産業上の利用可能性】
【００３１】
本発明は、安価で作業工程の少ない引出し引き扉を備えた冷蔵庫を提供することができ、引出し式扉を設けた種々の貯蔵室に適応可能である。
【図面の簡単な説明】
【００３２】
【図１】本発明の扉を取外した状態の冷蔵庫を示す斜視図である。
【図２】本発明のアームとリブを示す拡大横断面図である。
【図３】図２の貯蔵容器に負荷がかかった場合のアームとリブを示す拡大横断面図である。
【図４】本発明の冷蔵庫を示す正面図である。
【図５】本発明の切替室を示す縦断面図である。
【図６】従来の冷蔵庫を示す横断面図である。
【符号の説明】
【００３３】
１…冷蔵庫本体            ２…冷蔵室              ３…野菜室
４…冷凍室                ５…製氷室              ６…切替室
６ａ…扉                  １０…内箱              １１…断熱材
１２…外箱                １３…断熱仕切壁(天井面)１４…断熱仕切壁(底面)
１４ａ…仕切体            １５…縦仕切壁          １６…レール
２０…貯蔵容器            ３１…アーム            ３３…補強板
３４…ストッパー          ３５…案内部材          ４０…リブ
４１…外側リブ            ４２…内側リブ          ４３…凹部
【図１】
2005069597.tif 000003
【図２】
2005069597.tif 000004
【図３】
2005069597.tif 000005
【図４】
2005069597.tif 000006
【図５】
2005069597.tif 000007
【図６】
2005069597.tif 000008